(57)【特許請求の範囲】
【請求項１】
複数の動物種の生体試料を分析可能な動物用生体試料分析装置において、
表示部と、
複数の動物種がそれぞれ対応づけられた複数のアイコン又はボタンを記憶する記憶部と、
当該記憶部に記憶されている複数のアイコン又はボタンのうちの一部である所定の数のアイコン又はボタンが分析対象動物設定用のアイコン又はボタンとして、それぞれ所定の位置に配置された画面を前記表示部に表示する画面表示手段と、
前記画面の所定位置に配置された各分析対象動物設定用のアイコン又はボタンのうちの一のアイコン又はボタンの、前記記憶部に記憶された複数のアイコン又はボタンのうちの一のアイコン又はボタンへの変更を受け付ける変更受付手段と、を備える生体試料分析装置。
【請求項２】
前記画面は、分析の開始の指示を受け付ける画面である請求項１に記載の生体試料分析装置。
【請求項３】
前記画面は、生体試料分析装置の起動後に自動的に表示されるメイン画面である請求項２に記載の生体試料分析装置。
【請求項４】
外部からの操作を受け付ける操作部と、
各動物種に対応した分析条件を記憶する分析条件記憶部と、
前記画面において分析対象動物設定用のアイコン又はボタンのうちの１つを選択する操作を前記操作部が受け付けた場合に、選択されたアイコン又はボタンに対応する動物種用の分析条件を設定する分析条件設定手段と、をさらに備える請求項１乃至３のいずれかに記載の生体試料分析装置。
【請求項５】
前記分析条件記憶部に記憶されている分析条件の変更を受け付ける分析条件変更受付手段をさらに備える請求項４に記載の生体試料分析装置。
【請求項６】
前記画面には、前記分析対象動物設定用のアイコン又はボタンに対応する動物種以外の動物種を分析対象に設定するためのアイコン又はボタンが含まれおり、
当該アイコン又はボタンが選択される操作を受け付けた場合には、前記分析対象動物設定用のアイコン又はボタン以外のアイコン又はボタンが表示されるように構成されている請求項１乃至５のいずれかに記載の生体試料分析装置。
【請求項７】
前記生体試料は血液であり、生体試料分析装置は血球計数装置である請求項１乃至６のいずれかに記載の生体試料分析装置。
【発明の詳細な説明】
【技術分野】
【０００１】
本発明は、複数の動物種の生体試料を分析する生体試料分析装置に関する。
【背景技術】
【０００２】
昨今、動物病院や畜産試験場等において動物の血液、尿等の生体試料を分析することが行われている。このような生体試料の分析には、例えば特許文献１，２に開示されているような分析装置が用いられる。そして、このような動物病院や畜産試験場では多数の動物種を取り扱うことから、この種の分析装置には複数の動物種に対応した分析が行えることが求められている。そこで、上記特許文献１，２に開示された分析装置は、動物種の選択が可能であり、選択された動物種に応じた分析条件で生体試料を分析するようになっている。
【０００３】
図２２は、従来のこの種の分析装置における表示画面の一例を示す図である。図に示すように、画面１０１には、２つの動物種選択アイコン１０２，１０３と、セレクトボタン１０４と、スタートボタン１０５とが含まれている。動物種選択アイコン１０２は、イヌを分析対象として選択するためのアイコンであり、イヌの絵が表示されている。また動物種選択アイコン１０３は、ネコを分析対象として選択するためのアイコンであり、ネコの絵が表示されている。その他の動物種を分析対象として設定するためには、セレクトアイコン１０４が用いられる。このセレクトアイコン１０４が選択されると、他の動物種を分析対象として選択するためのダイアログが表示され、このダイアログに他の動物種に対応づけられたアイコンが一覧表示される（図示せず）。このようなセレクトアイコン１０４が設けられている理由は、動物用の分析装置は小規模な動物病院等で使用されるため小型であることが必要であり、大きな画面の表示部を設けることができず、多数のアイコンを並べてメイン画面１０３に表示することが困難なためである。したがって、ユーザは、これらの動物種選択アイコン１０２，１０３及びセレクトアイコン１０４を使用して、分析対象の動物種を設定する。そして、分析対象の動物種が設定された後に、スタートボタン１０５が選択される操作（クリック等）が受け付けられると、設定された分析対象の動物種に応じた分析条件で分析が実行される。
【０００４】
【特許文献１】特開２００５−３７１６２号公報
【特許文献２】米国特許出願公開第２００３／００７０４９８
【発明の開示】
【発明が解決しようとする課題】
【０００５】
しかしながら、上述の如き従来の分析装置にあっては、分析開始の指示を受け付ける画面である画面１０１に表示されている動物種選択アイコン１０２，１０３を他の動物種のアイコンに変更することができず、イヌ及びネコ以外の動物種の分析を行う場合には、セレクトボタン１０４を使用して分析対象の動物種を設定しなければならず、煩雑な手間を要していた。
【０００６】
また、昨今のペットブームにより、フェレット、プレーリードッグ、は虫類等の所謂エキゾチックアニマルがペットとして広く飼育されており、これらの動物種を数多く取り扱っている動物病院も多くなっている。また、畜産試験場ではイヌ、ネコよりもウシ、ウマ等の畜産動物を主要に取り扱っている。このように、動物病院や畜産試験場等の施設毎に、主要に取り扱っている動物種は異なっており、イヌやネコ以外の動物種を数多く取り扱う施設では、分析の都度煩雑な手間をかけて分析対象の動物種を設定する必要があり、不便であった。
【０００７】
本発明は、かかる事情に鑑みてなされたものであり、記憶部に記憶された複数のアイコン又はボタン中から画面の所定の位置に表示される分析対象動物設定用のアイコン又はボタンを、記憶部に記憶された他のアイコン又はボタンにユーザが容易に変更することができ、従来に比してユーザの操作性及び利便性を向上させた動物用生体試料分析装置を提供することを目的とする。
【課題を解決するための手段】
【０００８】
本発明に係る生体試料分析装置は、複数の動物種の生体試料を分析可能な動物用生体試料分析装置において、表示部と、複数の動物種がそれぞれ対応づけられた複数のアイコン又はボタンを記憶する記憶部と、当該記憶部に記憶されている複数のアイコン又はボタンのうちの一部である所定の数のアイコン又はボタンが分析対象動物設定用のアイコン又はボタンとして、それぞれ所定の位置に配置された画面を前記表示部に表示する画面表示手段と、前記画面の所定位置に配置された各分析対象動物設定用のアイコン又はボタンのうちの一のアイコン又はボタンの、前記記憶部に記憶された複数のアイコン又はボタンのうちの一のアイコン又はボタンへの変更を受け付ける変更受付手段と、を備えることを特徴とする。
【０００９】
かかる構成とすることにより、画面に表示される分析対象設定用のアイコン又はボタンをユーザが容易にカスタマイズすることができ、従来に比してユーザの操作性及び利便性が向上する。
【００１０】
上記発明においては、前記画面は、分析の開始の指示を受け付ける画面であることが好ましい。これにより、分析対象設定用のアイコン又はボタンを選択して分析対象の動物種を設定した後、即座に分析を開始することができ、効率的に分析を行うことができる。
【００１１】
上記発明においては、前記画面は、生体試料分析装置の起動後に自動的に表示されるメイン画面であることが好ましい。これにより、生体試料分析装置を起動した直後のメイン画面において分析対象の動物種の設定を行うことができ、より一層効率的に分析を行うことができる。
【００１２】
上記発明においては、外部からの操作を受け付ける操作部と、各動物種に対応した分析条件を記憶する分析条件記憶部と、前記画面において分析対象設定用のアイコン又はボタンのうちの１つを選択する操作を前記操作部が受け付けた場合に、選択されたアイコン又はボタンに対応する動物種用の分析条件を設定する分析条件設定手段とをさらに備える構成とすることが好ましい。
【００１３】
上記発明においては、前記分析条件記憶部に記憶されている分析条件の変更を受け付ける分析条件変更受付手段をさらに備える構成とすることが好ましい。これにより、分析条件を動物種毎に適切に設定することができる。
【００１４】
上記発明においては、前記画面には、前記分析対象設定用のアイコン又はボタンに対応する動物種以外の動物種を分析対象に設定するためのアイコン又はボタンが含まれおり、当該アイコン又はボタンが選択される操作を受け付けた場合には、前記分析対象設定用のアイコン又はボタン以外のアイコン又はボタンが表示されるように構成されていることが好ましい。これにより、分析対象設定用のアイコン又はボタンに対応する動物種以外の動物種を設定することができる。
【００１５】
上記発明においては、前記生体試料は血液であることが好ましい。
【発明の効果】
【００１６】
本発明に係る生体試料分析装置によれば、記憶部に記憶された複数のアイコン又はボタン中から画面の所定の位置に表示される分析対象動物設定用のアイコン又はボタンを、記憶部に記憶された他のアイコン又はボタンにユーザが容易に変更することができ、従来に比してユーザの操作性及び利便性が向上する等、本発明は優れた効果を奏する。
【発明を実施するための最良の形態】
【００１７】
以下、本発明の実施の形態に係る生体試料分析装置について、図面を参照しながら具体的に説明する。
【００１８】
図１は、本発明の実施の形態に係る生体試料分析装置の概略構成を示す斜視図である。生体試料分析装置１は、イヌ、ネコ、ウシ、ウマ等の種々の動物種の赤血球や白血球等を計数する血球計数装置である。生体試料分析装置１は、イヌの血液を分析するためのイヌ分析モード、ネコの血液を分析するためのネコ分析モード等、各動物種に応じた動作モードで動作可能となっている。
【００１９】
図１に示すように、血液分析装置１は、ハウジング２、ディスプレイ３、検体セットパネル４、押しボタン５、制御部９、電源部１０、プリンタ部１１、及び測定機構１２を備える。ハウジング２は、略直方体形状の箱体であり、当該ハウジング２に、ディスプレイ３、制御部９、電源部１０、プリンタ部１１、および測定機構１２が収容されている。ディスプレイ３は、タッチパネル式の液晶ディスプレイであり、ハウジング２の正面上部に取り付けられている。このディスプレイ３により、情報の表示が行われるとともに、ユーザからの入力が受け付けられる。ハウジング２のディスプレイ３の下方部分は欠落しており、この欠落部分が扉状の検体セットパネル４によって閉塞されている。検体セットパネル４の下端部はハウジング２に左右方向へ延びた枢軸Ｒによって枢着されており、これにより検体セットパネル４は前方（図中矢印Ａ方向）に回動することが可能である。かかる検体セットパネル４の上方には押しボタン５が配置されており、検体セットパネル４と押しボタン５とは互いに係合されている。ユーザが押しボタン５を押すことにより、検体セットパネル４と押しボタン５との係合が解除され、検体セットパネル４が前方へ回動する。また、開いた状態の検体セットパネル４をユーザが後方へ押して回動させることにより、再度検体セットパネル４と押しボタン５とが係合し、検体セットパネル４による閉塞状態が維持される。
【００２０】
検体セットパネル４の後部には、検体セット部６が設けられている。検体セット部６は、上部が開口しており、この開口からその内部に検体（生体試料）を収容した検体容器をセットすることが可能となっている。検体セット部６は検体セットパネル４と一体的に回動するようになっており、これによって、ユーザは、検体セット部６に検体容器をセットすることが可能である。検体容器をセットしたユーザは、検体セットパネル４を後方へ押して、検体セット部６を図１に示す閉塞位置まで戻す。これにより、検体の測定が可能となる。
【００２１】
測定機構１２は、検体処理部７及び流体制御部８を備えている。この検体処理部７は、吸引機構１６、検出部１７、および、ミックスチャンバ１８を備えている。吸引機構１６は、検体セット部６にセットされた検体容器から検体を吸引して検出部１７やミックスチャンバ１８に注入するための機構であり、吸引管やそれを移動させるモータなどを備える。流体制御部８は、試薬を収容した試薬容器１３がチューブ１５を介して接続されており、試薬を移送するポンプや、ポンプを駆動するモータ等を備えている。かかる流体制御部８により、検体や試薬が検出部１７やミックスチャンバ１８に注入されたり、それらから排出されたりする。ミックスチャンバ１８は、検体と試薬とを混合して測定用の試料を調製するために使用され、このミックスチャンバ１８で調製された試料が検出部１７に供給される。検出部１７は、公知の電気抵抗式の検出法により血球を検出し、検体中の血球の特徴を表した電気信号を出力するようになっている。また、これとともに、検出部１７は、公知の光学式の検出法により検体の濁度（吸光度）を検出し、濁度を表した電気信号を出力するようになっている。具体的には、この検出部１７は、検体に含まれる白血球、赤血球、ヘモグロビン、及び血小板の特徴を表した電気信号を出力する。この出力信号は、制御部９に与えられ、制御部９がこの信号を処理し、検出した各粒子（血球）の大きさ（容積）を表すデータや、検体の濁度（吸光度）を表すデータを測定結果として取得するようになっている。かかる制御部９は、各部の動作を制御するとともに分析結果を算出する。電源部１０は、商用交流電源から受けた交流を直流に変換して、制御部９や各部のモータなどに供給する。プリンタ部１１は、制御部９からの指示を受け付け、分析結果などを印刷する。
【００２２】
次に、制御部９の構成について詳細に説明する。図２は、制御部９の構成を示す図である。制御部９は、ＣＰＵ２０、メモリ２１、駆動回路２２、及び信号処理回路２３を備えている。ＣＰＵ２０は、メモリ２１に格納されたプログラムを実行することが可能であり、ＣＰＵ２０がプログラムを実行することにより、生体試料分析装置１が後述するように動作することとなる。メモリ２１は、例えば、ＳＲＡＭ、ＤＲＡＭ等のＲＡＭ、マスクＲＯＭ、ＥＥＰＲＯＭ等のＲＯＭ、及びフラッシュメモリ（登録商標）等により構成されており、プログラムが予め格納されており、またプログラムのロード、プログラムの実行中に発生するデータの格納、及び測定結果の格納等を行うことが可能である。メモリ２１には、領域２１ａ、及び領域２１ｂの２つの領域が含まれている。
【００２３】
領域２１ａには、生体試料分析装置１の総括的な制御を行うためのアプリケーションプログラムや、流体制御部８や吸引機構１６のモータ等を動作制御し、測定動作の制御を行う測定動作プログラム、及び検出部１７から出力された電気信号を信号処理して得られた測定データを分析し、分析結果を得る分析プログラムが記憶されている。領域２１ｂは、これらのプログラムが共に使用する領域である。かかる領域２１ｂには、生体試料分析装置１による分析結果を示す分析結果データＤが記憶される。この分析結果データは検体毎に得られ、新しいものから順に所定の検体数分（例えば２０検体分）が領域２１ｂに格納される。この分析結果データＤには、検出部１７で検出された電気信号を信号処理することによって得られた測定データＤ１、及び分析プログラムによる分析結果を示す分析データＤ２が含まれている。
【００２４】
駆動回路２２は、測定動作プログラムからの指令を受けてモータや電磁弁（図示せず）等のアクチュエータ、及びディスプレイ３を駆動制御する。信号処理回路２３は、検出部１７で得られる電気信号に対して、例えばノイズ除去処理、Ａ／Ｄ変換処理、パルス高検出処理等の所定の信号処理を行い、デジタルデータである測定データＤ１を出力する。ここで得られた測定データＤ１が上記メモリ２１の領域２１ｂに格納されることとなる。
【００２５】
次に、本発明の実施の形態に係る生体試料分析装置１の分析動作について説明する。図３は、本発明の実施の形態に係る生体試料分析装置１の分析動作の流れを示すフローチャートである。まずユーザは、生体試料分析装置１を起動する。起動直後には、制御部９がディスプレイ３にメイン画面を表示させる（ステップＳ１）。図４は、メイン画面を示す図である。メイン画面３１には、装置状態表示領域４１、紙送りボタン４２、検体番号表示領域４３、動物種表示領域４４、動物種選択アイコン４５ａ〜４５ｄ、セレクトボタン４６、測定結果ボタン４７、シャットダウンボタン４８、メニュー画面呼び出しボタン４９、及びスタートボタン５０等が設けられている。このとき、まだ検体が生体試料分析装置１にセットされていないので、装置状態表示領域４１には、“スタンバイ”と表示される。この“スタンバイ”の表示は、測定開始が可能な状態を示している。このようなメイン画面が表示されている状態で、ユーザは押しボタン５を押し、検体セットパネル４を前方に回動させて、検体セット部６に検体をセットする。そして、ユーザは検体セットパネル４を後方へ押して回動させ、検体セットパネル４を押しボタン５と係合させて、検体を生体試料分析装置１にセットする。
【００２６】
次に、制御部９は、ユーザによる検体番号の入力を受け付ける（ステップＳ２でＹｅｓ）。この検体番号の入力は次のようにして行われる。ユーザがメイン画面３１の検体番号表示領域１を指先で触れると、ソフトウエアキーボードがディスプレイ３に表示される。ユーザはソフトウエアキーを指先で触れることにより、検体番号を入力することができる。次に、制御部９は、測定動物種の選択、すなわち動作モードの選択を受け付ける（ステップＳ３でＹｅｓ）。メイン画面３１の動物種選択アイコン４５ａにはイヌ、４５ｂにはネコ、４５ｃにはウシ、４５ｄにはウマが割り当てられており、それぞれのアイコンには割り当てられた動物種が図示されている。なお、図４ではアイコンに動物種の絵が示されているが、これに限るものではなく、例えば動物種を示す文字列を表示するようにしてもよい。この４つのアイコンに対象の動物種があれば、ユーザはその動物種のアイコンを指先で触れる。これによりその動物種が測定対象（測定動物種）として設定される。このとき、測定動物種に設定されたアイコンのみがカラー表示され、その他のアイコンは白黒表示されるといったように、測定動物種に設定されたアイコンが他のアイコンと異なる態様で表示され、どれが測定動物種に設定されているかをユーザが容易に確認できるようになっている。
【００２７】
また、これらの４つの動物種以外の動物種を測定動物種に設定する場合には、ユーザは次のように操作する。まず、ユーザはセレクトボタン４６を指先で触れる。このようにセレクトボタン４６が選択されると、測定動物種選択ダイアログが表示される。図５は、測定動物種選択ダイアログが表示された画面を示す図である。測定動物種選択ダイアログ５１には、動物種選択用の複数のボタン５１ａ〜５１ｃが並んで表示されている。また、この測定動物種選択ダイアログ５１には、ページ切替ボタン５２と、クローズボタン５３とが表示されている。ボタン５１ａ〜５１ｃには、ユーザによって任意に動物種を割り当てることが可能であり、割り当てられている動物種の名称が表示される。図５に示した例では、ユーザによる割り当てが行われておらず、これらのボタン５１ａ〜５１ｃには、“ＯＴＨＥＲ１”、“ＯＴＨＥＲ２”、“ＯＴＨＥＲ３”と表示されている。これらのボタン５１ａ〜５１ｃの一つが選択されると、制御部９は選択されたボタンに割り当てられた動物種を測定動物種として設定する。つまり、このダイアログ５１でユーザが所望の動物種のボタンを指先で触れることにより、その動物種が測定動物種として設定される。また測定動物種選択ダイアログ５１は複数のページから構成されており、ページ切替ボタン５２が選択されると、制御部９が他のページに表示を切り替えるようになっている。したがって、表示されているページに所望の動物種のボタンがない場合には、ユーザはページ切替ボタン５２を指先で触れて、他のページに表示を切り替える。また、クローズボタン５３が選択された場合には、ダイアログ５１が閉じられる。
【００２８】
次に、制御部９は測定開始が指示を受け付ける（ステップＳ４でＹｅｓ）。ユーザは測定開始を指示する場合には、スタートボタン５０を指先で触れる。このようにスタートボタン５０が選択された場合には、制御部９は、測定動作を開始するとともに、ディスプレイ３に測定中画面を表示させる（ステップＳ５）。図６は、測定中画面を示す図である。図６に示すように、測定中画面３２には、メイン画面３１と同様に、装置状態表示領域４１、紙送りボタン４２、検体番号表示領域４３、動物種表示領域４４が設けられ、その他に、メイン画面呼び出しボタン５５、分析結果表示領域５６、メッセージ表示領域５７、及び測定動作進捗状況表示領域５８が設けられている。この測定中画面３２では、装置状態表示領域４１に“動作中”の文字列が表示される。また、この測定中画面３２においてメイン画面呼び出しボタン５５がユーザにより選択されると、ディスプレイ３の表示がメイン画面３１に切り替わるようになっている。検体容器から測定に必要な検体が吸引された後には、図に示すようにメッセージ表示領域５７に“検体を取り出せます”というメッセージが表示される。このとき、ユーザは検体セットパネル４を開けて検体を取り出すことが可能である。測定動作進捗状況表示領域５８は、画面の下端の帯状部分であり、その左右方向全長に亘って測定に要する時間が対応付けられている。すなわち、左端が測定開始時点、右端が測定終了時点を示しており、測定動作の進捗に応じて、イヌの画像が左端から右へ向かって移動するように表示される。なお、図６は、イヌ分析モードのときの測定中画面であり、ネコ分析モードのときには進捗位置を示す画像がネコのものとなる等、測定動物種に応じて表示は変更される。
【００２９】
このようにして測定が開始されると、検出部１７により検体中の血球が測定され、その測定データＤ１がメモリ２１の領域２１ｂに格納される（ステップＳ６）。そして、制御部９は、この測定データＤ１を用いて検体の分析処理を実行する（ステップＳ７）。この分析処理は、ステップＳ３で設定された測定動物種に応じた分析条件で行われる。
【００３０】
ここで生体試料分析装置１における検体の分析について詳細に説明する。測定機構１２における白血球の測定においては、血液検体に溶血剤が混合されて調整された試料が用いられる。検出部１７から出力される電気信号は、粒子の大きさがパルスに表れたパルス信号となっており、この電気信号が信号処理されることによって各粒子の大きさを表す測定データＤ１が得られる。したがって、この測定データＤ１を用いて粒度分布を作成することが可能である。図７は、一の動物種（例えば、イヌ）における白血球の粒度分布の例を示すグラフであり、図８は、他の動物種（例えば、ウサギ）における白血球の粒度分布の例を示すグラフである。図に示すように、動物種が異なると白血球の粒度分布は著しく異なる。これは白血球の大きさ（粒度）が動物種によって異なるためである。また、白血球の測定では、検体に溶血剤を添加することにより赤血球を破壊し、赤血球の影響を除去して測定が行われる。このような溶血剤の添加によって、損傷した赤血球の細胞膜が試料内に残留し、これが白血球とともに測定される。また、白血球にはリンパ球、単球、好酸球、好塩基球、好中球等の種類が存在し、それぞれの種類によって粒子の大きさが異なっている。したがって、この生体試料分析装置１における白血球の分析では、粒子の大きさによって、例えば、好中球に相当する大型白血球、単球、好酸球、及び好塩基球に相当する中型白血球、リンパ球に相当する小型白血球、並びに赤血球ゴースト（残留した赤血球の細胞膜）に分類（分画）する。図７及び図８に示す例では、第１分画レベルＬＤによって赤血球ゴーストと白血球とを分画し、第２分画レベルＴ１によって小型白血球と中型白血球とを分画し、第３分画レベルＴ２によって中型白血球と大型白血球とを分画している。そして、これらの分画レベルは動物種によって異なっており、かかる分画レベルを測定動物種に応じて適切に設定しなければ、正確な分析を行うことができない。さらに詳しく説明すると、これらの分画レベルは同じ動物種でも検体によって異なっているため、図７及び図８に示すように、各動物種によって分画レベルを設定する範囲（図中破線で示す）を設け、この範囲内で粒度分布の谷位置を検索し、検索して得られた谷位置を分画レベルとして設定することもできる。このような場合には、分画レベルの検索範囲を動物種に応じて適切に設定しなければ、正しい分画レベルを得ることができない。かかる理由により、生体試料分析装置１では、動物種に応じて分析条件が予め定められており、測定動物種が設定されると、その動物種の分析条件で分析が実行されるようになっている。
【００３１】
分析処理が終了した場合には、制御部９は、得られた分析データＤ２をメモリ２１の領域２１ｂに格納し（ステップＳ８）、プリンタ部１１に分析結果を紙に印刷させ（ステップＳ９）、再度メイン画面３１をディスプレイ３に表示し（ステップＳ１０）、次の測定を待機する。このようにプリンタ部１１により分析結果が紙に印刷されるので、ユーザは、分析結果を容易に確認することができる。ユーザは、続けて測定を実施したい場合には（ステップＳ１１でＮｏ）、次の検体を生体試料分析装置１にセットし、測定を指示する。このように自動的にメイン画面３１に表示が切り替わることにより、次の検体の分析を開始する際にユーザがメイン画面３１を表示させる操作をする必要がなく、連続で多数の検体を効率よく分析することが可能となる。
【００３２】
また、ユーザは、生体試料分析装置１による検体の分析を終了したい場合には、メイン画面３１のシャットダウンボタン４８を指先で触れる。制御部９は、このようにシャットダウンボタン４８の選択を受け付けた場合には（ステップＳ１１でＹｅｓ）、生体試料分析装置１を停止する。
【００３３】
次に、本発明の実施の形態に係る生体試料分析装置１の動物種選択アイコンの変更動作について説明する。メイン画面３１の動物種選択アイコン４５ａ〜４５ｄを変更する場合には、以下のようにして生体試料分析装置１が動作する。以下に、動物種選択アイコン４５ｄにウサギを割り当てる場合について説明する。図９は、本発明の実施の形態に係る生体試料分析装置１の動物種選択アイコンの変更動作の流れを示すフローチャートである。ユーザは、生体試料分析装置１を起動し、制御部９がディスプレイ３にメイン画面を表示させる（ステップＳ２１）。ユーザは、メイン画面３１のメニュー画面呼出ボタン４９を指先で触れ、メニュー画面の表示を指示する。制御部９は、このメニュー画面の表示の指示を受け付けた場合には（ステップＳ２２でＹｅｓ）、ディスプレイ３にメニュー画面を表示させる（ステップＳ２３）。
【００３４】
図１０は、メニュー画面を示す図である。図に示すように、メニュー画面３３には、メイン画面３１と同様に、装置状態表示領域４１及び紙送りボタン４２が設けられ、その他に、メイン画面呼び出しボタン５５、設定アイコン５９が設けられている。このメニュー画面３３では、装置状態表示領域４１に“測定不可”の文字列が表示され、測定を開始することができないことが示される。ユーザは、動物種選択アイコンの設定変更を中止する場合には、当該メニュー画面３３においてメイン画面呼び出しボタン５５を選択する。一方、ユーザが動物種選択アイコンの設定変更を続行する場合には、このメニュー画面３３において設定アイコン５９を指先で触れ、各種の設定を変更するための画面の表示を指示する。制御部９は、設定アイコン５９の選択を受け付けた場合には（ステップＳ２４でＹｅｓ）、ディスプレイ３に動物種選択第１画面を表示させる（ステップＳ２５）。
【００３５】
図１１は、動物種選択第１画面の一例を示す図である。図に示すように、動物種選択第１画面３４には、メイン画面３１と同様に、装置状態表示領域４１、紙送りボタン４２、及びメイン画面呼び出しボタン５５が設けられ、その他に、各動物種にそれぞれ対応した１０個の動物種ボタン６０ａ〜６０ｊ、及び画面変更ボタン６１ａ，６１ｂが設けられている。動物種ボタン６０ａには、イヌが割り当てられており、“Ｄｏｇ”と表示されている。同様に、動物種ボタン６０ｂ，６０ｃ，６０ｄには、ネコ、ウシ、ウマがそれぞれ割り当てられており、“Ｃａｔ”、“Ｃｏｗ”、“Ｈｏｒｓｅ”とそれぞれ表示されている。動物種ボタン６０ｅ〜６０ｊには、ユーザによって任意に動物種を割り当てることが可能であり、割り当てられている動物種の名称が表示される。図１１に示した例では、ユーザによる割り当てが行われておらず、これらのボタン６０ｅ〜６０ｊには、“ＯＴＨＥＲ１”、“ＯＴＨＥＲ２”、“ＯＴＨＥＲ３”…と表示されている。この動物種選択第１画面３４において、ユーザが画面変更ボタン６１ａ，６１ｂを指先で触れた場合には、動物種選択第２画面が表示される。図１２は、動物種選択第２画面を示す図である。図に示すように、動物種選択第２画面３５には、装置状態表示領域４１、紙送りボタン４２、メイン画面呼び出しボタン５５、及び画面変更ボタン６１ａ，６１ｂの他に、７個の動物種ボタン６０ｋ〜６０ｑとアイコン割当ボタン６２とが設けられている。動物種ボタン６０ｋ〜６０ｑには、ユーザによって任意に動物種を割り当てることが可能であり、割り当てられている動物種の名称が表示される。図１２に示した例では、ユーザによる割り当てが行われておらず、これらのボタン６０ｋ〜６０ｑには、“ＯＴＨＥＲ７”、“ＯＴＨＥＲ８”、“ＯＴＨＥＲ９”…と表示されている。また、画面変更ボタン６１ａ，６１ｂが選択されると、上述した動物種選択第１画面３４に表示が切り替わる。
【００３６】
ユーザは、動物種選択第１画面３４及び動物種選択第２画面３５において、動物種の分析条件の設定を変更する場合には、設定変更したい動物種に対応する動物種ボタン６０ａ〜６０ｑを選択し、動物種選択アイコン４５ａ〜４５ｄの設定を変更する場合には、アイコン割当ボタン６２を選択する。制御部９は、ユーザから分析条件の設定変更指示を受け付けた場合、すなわち、動物種ボタン６０ａ〜６０ｑの選択を受け付けた場合には（ステップＳ２６で「分析条件設定変更指示」）、分析条件設定変更処理（ステップＳ２７）を実行し、動物種選択アイコン４５ａ〜４５ｄの設定変更指示を受け付けた場合、すなわち、アイコン割当ボタン６２の選択を受け付けた場合には（ステップＳ２６で「アイコン割当変更指示」）、アイコン割当変更処理（ステップＳ２８）を実行する。
【００３７】
ここで、分析条件設定変更処理について詳しく説明する。イヌ、ネコ、ウシ、ウマの分析条件の設定を変更する場合には、ユーザは動物種ボタン６０ａ，６０ｂ，６０ｃ，６０ｄを指先で触れる。これにより、選択されたボタンに対応する動物種の異常判定設定第１画面が表示される。なお、異常判定設定第１画面についての説明は後述する。一方、その他の動物種の分析条件を設定する場合には、ユーザは動物種ボタン６０ｅ〜６０ｑのいずれか１つを指先で触れる。これにより、選択されたボタンに対応する動物種名称設定画面がディスプレイ３に表示される。図１３は、動物種名称設定画面を示す図である。図に示すように、動物種名称設定画面３６には、動物種選択第１画面３４と同様に、装置状態表示領域４１、紙送りボタン４２、メイン画面呼び出しボタン５５、及び画面変更ボタン６１ａ，６１ｂが設けられ、その他に、入力テキスト表示領域６３、ソフトウエアキーボード６４、及び保存ボタン６５が設けられている。ユーザは、この動物種名称設定画面３６において、ソフトウエアキーボード６４でテキスト（動物種の名称）を入力することができる。例えば、ウサギの分析条件を設定する場合には、ユーザが“Ｒａｂｂｉｔ”と入力する。このように入力されたテキストは、入力テキスト表示領域６３に表示される。そして、入力内容を保存する場合には、ユーザは保存ボタン６５を指先で触れる。これにより、制御部９が入力テキストを動物種ボタンに対応付けてメモリ２１に記憶する。また、この他にも分析条件設定用の画面には、異常判定設定第１画面、異常判定設定第２画面、異常判定設定第３画面、異常判定設定第４画面、異常判定設定第５画面、補正値設定画面、分画位置設定第１画面、分画位置設定第２画面が設けられている。図に示すように、画面変更ボタン６１ａには左向きの矢印が、画面変更ボタン６１ｂには右向きの矢印が表示されている。画面変更ボタン６１ａ，６１ｂをユーザが指先で触れる都度、他の分析条件設定用画面にディスプレイ３の表示が切り替わる。ユーザは、所望の分析条件設定用画面が表示されるまで、画面変更ボタン６１ａ，６１ｂを押下（選択）する。
【００３８】
図１４は、異常判定設定第１画面を示す図である。図に示すように、異常判定設定第１画面３７には、動物種名称設定画面３６と同様に、装置状態表示領域４１、紙送りボタン４２、メイン画面呼び出しボタン５５、画面変更ボタン６１ａ，６１ｂ、及び保存ボタン６５が設けられ、その他に、動物種表示領域６６、及び異常判定設定値表示領域６７が設けられている。この異常判定設定第１画面３７では、白血球濃度（ＷＢＣ）、赤血球濃度（ＲＢＣ）、ヘモグロビン濃度（ＨＧＢ）、ヘマトクリット値（ＨＣＴ）、及び平均赤血球容積（ＭＣＶ）の異常判定の設定が可能である。また、異常判定設定第２画面では、平均赤血球ヘモグロビン量（ＭＣＨ）、平均赤血球ヘモグロビン濃度（ＭＣＨＣ）、及び血小板濃度（ＰＬＴ）の異常判定の設定が可能であり、異常判定設定第３画面では、小型白血球比率（Ｗ−ＳＣＲ）、中型白血球比率（Ｗ−ＭＣＲ）、及び大型白血球比率（Ｗ−ＬＣＲ）の異常判定の設定が可能であり、異常判定設定第４画面では、小型白血球濃度（Ｗ−ＳＣＣ）、中型白血球濃度（Ｗ−ＭＣＣ）、及び大型白血球濃度（Ｗ−ＬＣＣ）の異常判定の設定が可能であり、異常判定設定第５画面では、赤血球分布幅ＳＤ（ＲＤＷ−ＳＤ）、赤血球分布幅ＣＶ（ＲＤＷ−ＣＶ）、血小板分布幅（ＰＤＷ）、平均血小板容積（ＭＰＶ）、大型血小板比率（Ｐ−ＬＣＲ）の異常判定の設定が可能である。この異常判定の設定は、正常な分析値の上限値及び下限値を設定することにより行われる。つまり、分析値がこの上限値と下限値との間に入らなかった場合に、異常と判定され、異常を示すフラグが表示されることとなる。ユーザは、変更したい設定値が表示されている領域を指先で触れ、その領域を選択する。設定値の領域が選択されると、ソフトウエアキーボード６８が表示され、ユーザはこのソフトウエアキーボード６８により新たな設定値を入力することができる。入力された設定値は、選択されている領域に表示され、設定値が変更されたことが示される。なお、このソフトウエアキーボード６８は、数字のみを入力することができるように、アルファベットのソフトウエアキーは設けられていない。このようにして異常判定の設定を変更した後、ユーザはその設定値を記憶する場合には、保存ボタン６５を選択する。これにより、制御部９が、この設定値を対象の動物種の異常判定設定としてメモリ２１に記憶する。
【００３９】
図１５は、補正値設定画面を示す図である。図に示すように、補正値設定画面３８には、異常判定設定第１画面３７と同様に、装置状態表示領域４１、紙送りボタン４２、メイン画面呼び出しボタン５５、画面変更ボタン６１ａ，６１ｂ、保存ボタン６５、及び動物種表示領域６６が設けられ、その他に、補正値表示領域６９が設けられている。この補正値設定画面３８では、ヘモグロビン濃度（ＨＧＢ）及びヘマトクリット値（ＨＣＴ）の補正値の設定が可能である。ユーザは、変更したい補正値が表示されている領域を指先で触れ、その領域を選択する。補正値の領域が選択されると、ソフトウエアキーボード６８が表示され、ユーザはこのソフトウエアキーボード６８により新たな補正値を入力することができる。入力された補正値は、選択されている領域に表示され、補正値が変更されたことが示される。このようにして補正値の設定を変更した後、ユーザはその補正値を記憶する場合には、保存ボタン６５を選択する。これにより、制御部９が、この補正値を対象の動物種の補正値としてメモリ２１に記憶する。
【００４０】
図１６は、分画位置設定第１画面を示す図である。図に示すように、分画位置設定第１画面３９には、異常判定設定第１画面３７と同様に、装置状態表示領域４１、紙送りボタン４２、メイン画面呼び出しボタン５５、画面変更ボタン６１ａ，６１ｂ、保存ボタン６５、及び動物種表示領域６６が設けられ、その他に、分画レベル設定値表示領域７０が設けられている。この分画位置設定第１画面３８では、白血球の分画レベルＬＤ，Ｔ１，Ｔ２の設定が可能である。また、分画位置設定第２画面では、赤血球の分画レベル及び血小板の分画レベルの設定が可能である。ユーザは、変更したい設定値が表示されている領域を指先で触れ、その領域を選択する。設定値の領域が選択されると、ソフトウエアキーボード（図示せず）が表示され、ユーザはこのソフトウエアキーボードにより新たな設定値を入力することができる。入力された設定値は、選択されている領域に表示され、設定値が変更されたことが示される。このようにして分画レベルの設定を変更した後、ユーザはその設定値を記憶する場合には、保存ボタン６５を選択する。これにより、制御部９が、この設定値を対象の動物種の分画レベルとしてメモリ２１に記憶する。なお、このように分画レベルの設定値を記憶した動物種では、この分画レベルを使用して分析処理が行われることとなる。また、イヌ、ネコ、ウシ、ウマの４つの動物種（あるいは、イヌ、ネコ、ウシの３つの動物種）では、上述したように所定の範囲から粒度分布の谷位置を検索し、この谷位置を分画レベルとして使用するようになっている。
【００４１】
このようにして分析条件の設定を変更した後には、ユーザはメイン画面呼び出しボタン５５を指先で触れ、メイン画面３１の呼び出しを指示する。制御部９は、メイン画面３１の呼び出しを受け付けた場合には（ステップＳ２９でＹｅｓ）、メイン画面３１をディスプレイ３に表示する（ステップＳ３０）。ユーザは、生体試料分析装置１の動作を停止させたい場合には、メイン画面３１のシャットダウンボタン４８を指先で触れる。制御部９は、このようにシャットダウンボタン４８の選択を受け付けた場合には（ステップＳ３１でＹｅｓ）、生体試料分析装置１を停止する。また、他の設定を変更したい場合には、ステップＳ２２への処理を戻し、ステップＳ２２以降の処理を繰り返す。
【００４２】
次に、アイコン割当変更処理について詳しく説明する。ここでは、上述した分析条件設定変更処理により、動物種選択第１画面の動物種ボタン６０ｅにウサギが割り当てられ、ウサギの分析条件が設定された場合について説明する。図１７は、動物種選択第１画面の他の例を示す図である。図に示すように、この例では動物種ボタン６０ｅにウサギが割り当てられており、“Ｒａｂｂｉｔ”と表示されている。すなわち、ウサギが分析対象に選択可能な動物種として設定されている。ここでアイコン割当ボタン６２が選択されると、アイコン割当画面がディスプレイ３に表示される。図１８は、アイコン割当画面の一例を示す図である。図に示すように、アイコン割当画面４０には、動物種名称設定画面３６と同様に、装置状態表示領域４１、紙送りボタン４２、メイン画面呼び出しボタン５５、及び保存ボタン６５が設けられ、その他に、アイコン割当設定領域７１が設けられている。アイコン割当設定領域７１には、動物種選択アイコン４５ａ〜４５ｄのそれぞれに対応する設定領域７１ａ〜７１ｄが設けられており、設定領域７１ａ〜７１ｄのそれぞれの横には“アイコン１”、“アイコン２”、“アイコン３”、“アイコン４”と表示され、それぞれが対応するアイコンが示されている。ユーザは、設定領域７１ａ〜７１ｄのうち、設定を変更したいアイコンに対応する設定領域を指先で触れ、この領域を選択する。例えば、動物種選択アイコン４５ｄを変更したい場合には、ユーザは設定領域７１ｄを選択する。このように１つの設定領域が選択されると、動物種選択ダイアログが表示される。図１９は、動物種選択ダイアログが表示された画面を示す図である。動物種選択ダイアログ７２には、動物種選択用の複数のボタン７３ａ〜７３ｃが並んで表示されている。また、この動物種選択ダイアログ７２には、ページ切替ボタン７４と、クローズボタン７５とが表示されている。ボタン７３ａ〜７３ｃは、動物種選択第１画面３４の動物種ボタン６０ｅ〜６０ｇと同一のボタンとされている。すなわち、ボタン７３ａには“Ｒａｂｂｉｔ”と表示され、ボタン７３ｂには“ＯＴＨＥＲ２”と表示され、ボタン７３ｃには“ＯＴＨＥＲ３”と表示されている。また動物種選択ダイアログ７２は複数のページから構成されており、ページ切替ボタン７４が選択されると、制御部９が他のページに表示を切り替えるようになっている。他のページには、動物種選択第１画面３４及び動物種選択第２画面の上記以外の動物種ボタンど同一のボタンが表示される。したがって、表示されているページに所望の動物種のボタンがない場合には、ユーザはページ切替ボタン７４を指先で触れて、他のページに表示を切り替える。また、クローズボタン７５が選択された場合には、ダイアログ７２が閉じられる。ユーザは、動物種選択アイコン４５ｄを変更する場合には、これらの動物種選択用のボタンのうちの１つを選択する。この場合には、“Ｒａｂｂｉｔ”と表示されたボタン７３ａが選択される。これにより、ダイアログ７２が閉じられる。図２０は、アイコン割当画面の他の例を示す図である。図に示すように、アイコン割当の設定領域７１ｄの表示が“Ｒａｂｂｉｔ”と変更されており、ウサギが動物種選択アイコン４５ｄに割り当てられたことが示される。ユーザは、この設定を保存する場合には、保存ボタン６５を選択する。これにより、制御部９が、このアイコン割当の設定をメモリ２１に記憶する。
【００４３】
このようにしてアイコン割当の設定を変更した後には、ユーザはメイン画面呼び出しボタン５５を指先で触れ、メイン画面３１の呼び出しを指示する。制御部９は、メイン画面３１の呼び出しを受け付けた場合には、メイン画面３１をディスプレイ３に表示する。これにより、アイコン割当変更処理が終了する。図２１は、アイコン割当変更後のメイン画面を示す図である。アイコン割当を変更した後には、図に示すように、動物種選択アイコン４５ｄの表示が“Ｒａｂｂｉｔ”に変更されている。これにより、ユーザはウサギを測定動物種として容易に選択することが可能となる。ユーザは、生体試料分析装置１の動作を停止させたい場合には、メイン画面３１のシャットダウンボタン４８を指先で触れる。制御部９は、このようにシャットダウンボタン４８の選択を受け付けた場合には（ステップＳ２９でＹｅｓ）、生体試料分析装置１を停止する。また、他の設定を変更したい場合には、ステップＳ２２への処理を戻し、ステップＳ２２以降の処理を繰り返す。
【００４４】
なお、本実施の形態においては、生体試料分析装置１を血液の粒子を分析する構成としたが、これに限定されるものではなく、例えば、血液凝固測定や免疫分析、及び尿の分析を行う構成の装置としてもよい。
【産業上の利用可能性】
【００４５】
本発明に係る生体試料分析装置は、画面に表示される分析対象設定用のアイコン又はボタンをユーザが容易にカスタマイズすることができ、従来に比してユーザの操作性及び利便性が向上するという効果を奏し、複数の動物種の生体試料を分析する生体試料分析装置として有用である。
【図面の簡単な説明】
【００４６】
【図１】本発明の実施の形態に係る生体試料分析装置の概略構成を示す斜視図である。
【図２】制御部の構成を示す図である。
【図３】本発明の実施の形態に係る生体試料分析装置の動作の流れを示すフローチャートである。
【図４】メイン画面を示す図である。
【図５】測定動物種選択ダイアログが表示された画面を示す図である。
【図６】測定中画面を示す図である。
【図７】一の動物種における白血球の粒度分布の例を示すグラフである。
【図８】他の動物種における白血球の粒度分布の例を示すグラフである。
【図９】本発明の実施の形態に係る生体試料分析装置の動物種選択アイコンの変更動作の流れを示すフローチャートである。
【図１０】メニュー画面を示す図である。
【図１１】動物種選択第１画面の一例を示す図である。
【図１２】動物種選択第２画面を示す図である。
【図１３】動物種名称設定画面を示す図である。
【図１４】異常判定設定第１画面を示す図である。
【図１５】補正値設定画面を示す図である。
【図１６】分画位置設定第１画面を示す図である。
【図１７】動物種選択第１画面の他の例を示す図である。
【図１８】アイコン割当画面の一例を示す図である。
【図１９】動物種選択ダイアログが表示された画面を示す図である。
【図２０】アイコン割当画面の他の例を示す図である。
【図２１】アイコン割当変更後のメイン画面を示す図である。
【図２２】従来の分析装置における表示画面の一例を示す図である。
【符号の説明】
【００４７】
１      生体試料分析装置
２      ハウジング
３      ディスプレイ
４      検体セットパネル
５      押しボタン
６      検体セット部
７      検体処理部
８      流体制御部
９      制御部
１０      電源部
１１      プリンタ部
１２      測定機構
１３      試薬容器
１５      チューブ
１６      吸引機構
１７      検出部
１８      ミックスチャンバ
２１      メモリ
２１ａ      領域
２１ｂ      領域
２２      駆動回路
２３      信号処理回路
３１      メイン画面
３３      メニュー画面
３４      動物種選択第１画面
３５      動物種選択第２画面
３６      動物種名称設定画面
３７      異常判定設定第１画面
３８      補正値設定画面
３９      分画位置設定第１画面
４５ａ〜４５ｄ      動物種選択アイコン
４６      セレクトボタン
５０      スタートボタン
５１      測定動物種選択ダイアログ
５１ａ〜５１ｃ      ボタン
５９      設定ボタン
６０ａ〜６０ｐ      動物種ボタン
６１ａ，６１ｂ      画面変更ボタン
６２      アイコン割当ボタン
６５      保存ボタン
６９      補正値表示領域
７０      分画レベル設定値表示領域
３８      分画位置設定第１画面
４０      アイコン割当画面
７１      アイコン割当設定領域
７１ａ〜７１ｄ      設定領域
７２      動物種選択ダイアログ
７３ａ〜７３ｃ      ボタン
【図１】
0004669368.tif 000002
【図２】
0004669368.tif 000003
【図３】
0004669368.tif 000004
【図４】
0004669368.tif 000005
【図５】
0004669368.tif 000006
【図６】
0004669368.tif 000007
【図７】
0004669368.tif 000008
【図８】
0004669368.tif 000009
【図９】
0004669368.tif 000010
【図１０】
0004669368.tif 000011
【図１１】
0004669368.tif 000012
【図１２】
0004669368.tif 000013
【図１３】
0004669368.tif 000014
【図１４】
0004669368.tif 000015
【図１５】
0004669368.tif 000016
【図１６】
0004669368.tif 000017
【図１７】
0004669368.tif 000018
【図１８】
0004669368.tif 000019
【図１９】
0004669368.tif 000020
【図２０】
0004669368.tif 000021
【図２１】
0004669368.tif 000022
【図２２】
0004669368.tif 000023